(57)【要約】【課題】  放射線画像の補正処理に用いる補正データを、システムを構成する各機器から、容易に登録と参照を可能とすることにより、システムの設置形態や、各機器の負荷の状況に関わらず、操作者に対する使い勝手の良好さを維持し、かつ放射線画像データの補正処理において、常に最適な補正処理を行い、診断能の高い画像データと、動作信頼性の高いシステムを提供することを目的とする。【解決の手段】  二次元放射線検出装置と、コントローラと、データベースとを相互に接続し、二次元放射線検出装置もしくはコントローラが生成する補正データを、二次元放射線検出装置の識別情報や、補正データを生成する際の生成条件や、診断画像を出力する各種出力装置の識別情報をアクセスキーとして、二次元放射線検出装置とコントローラの何れの機器からも、データベースへの登録もしくは検索が可能なように構成した。【選択図】図１
2005111193.tif 000002
【特許請求の範囲】
【請求項１】
被写体を透過した放射線を検出する二次元放射線検出装置と、前記二次元放射線検出装置が送信する放射線画像データを受信して表示するコントローラと、前記二次元放射線検出装置が検出する一次放射線画像データの補正処理に用いる、前記二次元放射線検出装置と前記コントローラの少なくとも１つが生成した補正データを登録しておくためのデータベース機能からなる放射線画像撮影システムであって、
前記二次元放射線検出装置と前記コントローラは、前記二次元放射線検出装置の識別情報と、前記補正データの生成条件と、前記放射線画像データの出力装置の識別情報の少なくとも１つをアクセスキーとして、前記データベース機能へ前記補正データを登録および検索を行う手段を有し、
放射線画像撮影の際には、前記二次元放射線検出装置と前記コントローラの少なくとも１つが、前記アクセスキーにより前記データベースから検索した前記補正データを用いて、前記一次放射線画像データの補正処理を行うことを特徴とする放射線画像撮影システム。
【請求項２】
前記補正データの生成条件が、前記二次元放射線検出装置で前記補正データを生成する際の、生成時刻と、前記二次元放射線検出装置起動からの経過時間と、前記二次元放射線検出装置内部の環境温度の少なくとも１つからなり、
放射線画像撮影の際に前記補正データを検索する場合は、前記放射線画像撮影の時刻に最も近い生成時刻か、前記二次元放射線検出装置起動から前記放射線画像撮影までの経過時間が、前記補正データ生成の際の前記二次元放射線検出装置起動からの経過時間の中で最も近い値のものか、前記放射線画像撮影時点の前記二次元放射線検出装置内部の環境温度が、前記補正データ生成の際の前記二次元放射線検出装置内部の環境温度の中で最も近い値のものから選択して、前記補正データを検索することを特徴とする請求項１に記載の放射線画像撮影システム。    
【請求項３】
前記補正データが、前記二次元放射線検出装置が検出する一次放射線画像データの、オフセット補正データと、ゲイン補正データの少なくとも１つからなることを特徴とする請求項１乃至請求項２のいずれかに記載の放射線画像撮影システム。
【請求項４】
前記補正データが、１つの前記放射線画像データに対する、前記コントローラの表示画像用の補正データと、診断画像用の補正データの、２つからなることを特徴とする請求項１乃至請求項３のいずれか１項に記載の放射線画像撮影システム。
【請求項５】
前記二次元放射線検出装置は、放射線画像撮影の際に、前記診断画像用よりも小さいサイズの前記コントローラ表示用の一次放射線画像データと共に、前記二次元放射線検出装置の識別情報と、前記補正データの生成条件と、前記出力装置の識別情報の少なくとも１つを前記コントローラに送信し、
前記コントローラは、前記二次元放射線検出装置の識別情報と、前記補正データの生成条件と、前記出力装置の識別情報の少なくとも１つをアクセスキーとして、前記データベースから前記補正データを検索して前記コントローラ表示用の一次放射線画像データの補正処理および表示を行い、
また、前記二次元放射線検出装置は、前記コントローラ表示用の一次放射線画像データの送信の後、前記二次元放射線検出装置の識別情報と、前記補正データの生成条件と、前記出力装置の識別情報の少なくとも１つをアクセスキーとして、前記データベースから前記補正データを検索して前記診断用の一次放射線画像データの補正処理および前記コントローラへの診断用画像データの送信を行うことを特徴とする請求項１乃至請求項４のいずれか１項に記載の放射線画像撮影システム。
【請求項６】
前記二次元放射線検出装置は、放射線画像撮影の際に、前記診断画像用よりも小さいサイズの前記コントローラ表示用の一次放射線画像データと共に、前記二次元放射線検出装置の識別情報と、前記補正データの生成条件と、前記出力装置の識別情報の少なくとも１つを前記コントローラに送信し、
前記コントローラは、前記二次元放射線検出装置の識別情報と、前記補正データの生成条件と、前記出力装置の識別情報の少なくとも１つをアクセスキーとして、前記データベースから前記表示画像用の補正データを検索して前記コントローラ表示用の一次放射線画像データの補正処理および表示を行い、
また、前記二次元放射線検出装置は、前記コントローラ表示用の一次放射線画像データの送信の後、前記診断用の一次放射線画像データを前記コントローラへ送信し、
さらに、前記コントローラは、前記二次元放射線検出装置の識別情報と、前記補正データの生成条件と、前記出力装置の識別情報の少なくとも１つをアクセスキーとして、前記データベースから前記診断画像用の補正データを検索して、受信した前記診断用の一次放射線画像データの補正処理を行うことを特徴とする請求項１乃至請求項４のいずれか１項に記載の放射線画像撮影システム。
【請求項７】
前記コントローラの表示用の画像には、補正処理を行わないことを特徴と請求項５または請求項６に記載の放射線画像撮影システム。
【請求項８】
前記データベース機能が、前記二次元放射線検出装置と、前記コントローラの少なくとも１つに内包されていることを特徴とする請求項１乃至請求項７のいずれか１項に記載の放射線画像撮影システム。
【請求項９】
前記二次元放射線検出装置が複数台からなることを特徴とする請求項１乃至請求項８のいずれか１項に記載の放射線画像撮影システム。
【請求項１０】
前記コントローラが複数台からなることを特徴とする請求項１乃至請求項９のいずれか１項に記載の放射線画像撮影システム。
【発明の詳細な説明】
【技術分野】
【０００１】
この発明は、デジタル化された画像データを出力する二次元放射線検出装置と、画像データを受信し表示するコントローラから構成される放射線画像撮影システムに関するものである。
【背景技術】
【０００２】
近年、病院で発生する患者の放射線画像情報をデジタルデータ化して保存・電送することにより、診断の効率化・迅速化を図ろうとする気運が高まりつつある。このため、直接撮影の分野においても、従来のスクリーン／フィルム系に代わり、輝尽性蛍光体を利用してデジタルデータを出力する放射線画像撮影システム（通称ＣＲ：コンピューテッドラジオグラフィー）や、固体平面検出器を利用してデジタルデータを出力する放射線画像撮影システム（通称ＦＰＤ：フラットパネルディテクタ）が多く用いられる様になってきた。
【０００３】
後者のＦＰＤは、固体撮像素子を２次元的に配列したもので、検出手段にａ−ＳｅのようなＸ線エネルギーによって電子と正孔の電荷が発生する光導電物質を用いることで、Ｘ線エネルギーを直接電荷に変換し、この電荷を微細な面積単位で２次元的に配置されたＴＦＴ等の読み出し素子によって電気信号として読み出す直接方式と、Ｘ線エネルギーをシンチレータ等で光に変換し、この変換された光を微細な面積単位で２次元的に配置されたａ−Ｓｉのような光電変換素子で電荷に変換し、この電荷を光電変換素子と同じ微細面積単位で２次元的に配置されたＴＦＴ等の読み出し素子によって電気信号として読み出す間接方式とが最も良く知られている。
【０００４】
また、この発明では、Ｘ線エネルギーをシンチレータ等で光に変換し、この変換された光をレンズや光ファイバー等の集光体を介して、同一平面上に格子状に多数配されたＣＣＤやＣＭＯＳセンサーで受光し、ＣＣＤやＣＭＯＳセンサーの内部で、光電変換、電子・電圧変換を経由して、電気信号として読み出す画像分割型ＦＰＤも固体平面検出器の一つとして定義する。
【０００５】
ところで、このようなフラットパネルディテクタ（ＦＰＤ）では、主にＴＦＴ等で構成される読み出し部や、読み出し部で読み出された電荷の転送経路や、もしくは後段の増幅回路部分の特性により、厳密には画素単位に、かつ経時的なオフセット値やゲイン値のバラツキが生じることが知られており、これらバラツキの補正方法に関しては、特開平１１−３１６８３２他多数の公知例で既に開示されている。
【特許文献１】特開平１１−３１６８３２号公報
【発明の開示】
【発明が解決しようとする課題】
【０００６】
しかしながら、これら開示された補正方法や補正手段、さらには補正処理用のデータ類は、特定の機器（例えば放射線検出器や、これを制御するコントローラのどちらか一方）に集中して配置されており、これらの配置の切替え機能を持たないものであり、設置形態や、システムを構成する各機器の負荷状況の変化に対応できるものではなかった。
【０００７】
また、上記同様の公知例で開示されている、特にオフセット値の補正方法として、光電変換素子内に発生したオフセット値に相当する電荷を、放射線画像撮影に先立ち排出しておく手法があるが、実際には固体撮像素子に放射線が照射されるまでには、僅かな時間が生じるため、完全なオフセット補正とは言えないものであった。
【課題を解決するための手段】
【０００８】
上述の課題を解決し、また、上述の目的を達成する以下の解決手段を提案する。
（１）被写体を透過した放射線を検出する二次元放射線検出装置と、前記二次元放射線検出装置が送信する放射線画像データを受信して表示するコントローラと、前記二次元放射線検出装置が検出する一次放射線画像データの補正処理に用いる、前記二次元放射線検出装置と前記コントローラの少なくとも１つが生成した補正データを登録しておくためのデータベース機能からなる放射線画像撮影システムであって、
前記二次元放射線検出装置と前記コントローラは、前記二次元放射線検出装置の識別情報と、前記補正データの生成条件と、前記放射線画像データの出力装置の識別情報の少なくとも１つをアクセスキーとして、前記データベース機能へ前記補正データを登録および検索を行う手段を有し、
放射線画像撮影の際には、前記二次元放射線検出装置と前記コントローラの少なくとも１つが、前記アクセスキーにより前記データベースから検索した前記補正データを用いて、前記一次放射線画像データの補正処理を行うことを特徴とする放射線画像撮影システムである。
（２）前記補正データの生成条件が、前記二次元放射線検出装置で前記補正データを生成する際の、生成時刻と、前記二次元放射線検出装置起動からの経過時間と、前記二次元放射線検出装置内部の環境温度の少なくとも１つからなり、放射線画像撮影の際に前記補正データを検索する場合は、前記放射線画像撮影の時刻に最も近い生成時刻か、前記二次元放射線検出装置起動から前記放射線画像撮影までの経過時間が、前記補正データ生成の際の前記二次元放射線検出装置起動からの経過時間の中で最も近い値のものか、前記放射線画像撮影時点の前記二次元放射線検出装置内部の環境温度が、前記補正データ生成の際の前記二次元放射線検出装置内部の環境温度の中で最も近い値のものから選択して、前記補正データを検索することを特徴とする請求項１に記載の放射線画像撮影システムである。（３）前記補正データが、前記二次元放射線検出装置が検出する一次放射線画像データの、オフセット補正データと、ゲイン補正データの少なくとも１つからなることを特徴とする請求項１または請求項２に記載の放射線画像撮影システムである。
（４）前記補正データが、１つの前記放射線画像データに対する、前記コントローラの表示画像用の補正データと、診断画像用の補正データの、２つからなることを特徴とする請求項１乃至請求項３のいずれか１項に記載の放射線画像撮影システムである。
（５）前記二次元放射線検出装置は、放射線画像撮影の際に、前記診断画像用よりも小さいサイズの前記コントローラ表示用の一次放射線画像データと共に、前記二次元放射線検出装置の識別情報と、前記補正データの生成条件と、前記出力装置の識別情報の少なくとも１つを前記コントローラに送信し、
前記コントローラは、前記二次元放射線検出装置の識別情報と、前記補正データの生成条件と、前記出力装置の識別情報の少なくとも１つをアクセスキーとして、前記データベースから前記補正データを検索して前記コントローラ表示用の一次放射線画像データの補正処理および表示を行い、
また、前記二次元放射線検出装置は、前記コントローラ表示用の一次放射線画像データの送信の後、前記二次元放射線検出装置の識別情報と、前記補正データの生成条件と、前記出力装置の識別情報の少なくとも１つをアクセスキーとして、前記データベースから前記補正データを検索して前記診断用の一次放射線画像データの補正処理および前記コントローラへの診断用画像データの送信を行うことを特徴とする請求項１乃至請求項４のいずれか１項に記載の放射線画像撮影システムである。
（６）前記二次元放射線検出装置は、放射線画像撮影の際に、前記診断画像用よりも小さいサイズの前記コントローラ表示用の一次放射線画像データと共に、前記二次元放射線検出装置の識別情報と、前記補正データの生成条件と、前記出力装置の識別情報の少なくとも１つを前記コントローラに送信し、
前記コントローラは、前記二次元放射線検出装置の識別情報と、前記補正データの生成条件と、前記出力装置の識別情報の少なくとも１つをアクセスキーとして、前記データベースから前記表示画像用の補正データを検索して前記コントローラ表示用の一次放射線画像データの補正処理および表示を行い、
また、前記二次元放射線検出装置は、前記コントローラ表示用の一次放射線画像データの送信の後、前記診断用の一次放射線画像データを前記コントローラへ送信し、
さらに、前記コントローラは、前記二次元放射線検出装置の識別情報と、前記補正データの生成条件と、前記出力装置の識別情報の少なくとも１つをアクセスキーとして、前記データベースから前記診断画像用の補正データを検索して、受信した前記診断用の一次放射線画像データの補正処理を行うことを特徴とする請求項１乃至請求項４のいずれか１項に記載の放射線画像撮影システムである。
（７）前記コントローラの表示用の画像には、補正処理を行わないことを特徴と請求項５または請求項６に記載の放射線画像撮影システムである。
（８）前記データベース機能が、前記二次元放射線検出装置と、前記コントローラの少なくとも１つに内包されていることを特徴とする請求項１乃至請求項７のいずれか１項に記載の放射線画像撮影システムである。
（９）前記二次元放射線検出装置が複数台からなることを特徴とする請求項１乃至請求項８のいずれか１項に記載の放射線画像撮影システムである。
（１０）前記コントローラが複数台からなることを特徴とする請求項１乃至請求項９のいずれか１項に記載の放射線画像撮影システムである。
【発明の効果】
【０００９】
前記構成により、この発明は、以下のような効果を有する。
（請求項１の効果）この発明により、二次元放射線検出装置と、コントローラと、データベース機能との間の相互の通信速度や、二次元放射線検出装置の各種処理による負荷や、コントローラの各種処理による負荷の状況によっては、二次元放射線検出装置で検出した一次放射線画像データに対する、コントローラへの表示画像の生成や、診断画像の生成のための補正処理を、二次元放射線検出装置とコントローラの間で、容易に切替えることが可能となる。このことは、コントローラ上での画像表示速度などに代表される、操作者に対する使い勝手の良さが、安定して供給される放射線画像撮影システムを提供可能となることを示す。
【００１０】
また、二次元放射線検出装置が、被写体を放射線撮影する合い間に随時生成する補正データを、二次元放射線検出装置の識別情報と、補正データの生成条件の少なくとも一方と共に、データベース機能に登録することは、放射線画像撮影により得られた二次元放射線検出装置の一次放射線画像データに対し、最適な補正データを選択することが可能となる。このことは、僅かながらも常時変動する被補正量に対し、正確な補正処理を加えられることから、特に被写体の透過放射線量の少ない領域の画質改善に寄与するものである。
【００１１】
さらには、コントローラが、出力装置の種別または各出力装置の固体ごとに定まる補正データを、予め出力装置の識別情報と共に、データベース機能に登録し、これをコントローラの表示画像データの補正処理に使用することは、コントローラ上の表示画像の見え方と、出力装置により出力された診断画像の見え方との整合性をとる上で、効果を発揮するものである。
（請求項２の効果）この発明により、二次元放射線検出装置の使用状況や周囲環境により、僅かながらも常時変動する被補正量を、放射線画像撮影の際に、常に最適な補正データを選択することが可能となる。
【００１２】
この際、補正データの生成条件を、二次元放射線検出装置で補正データを生成する際の生成時刻とした場合は、放射線画像撮影が行われた時刻に最も近い生成時刻の補正データを選択することにより、画質の向上が期待できる。
【００１３】
また、補正データの生成条件を、二次元放射線検出装置で補正データを生成する際の二次元放射線検出装置起動からの経過時間とした場合は、放射線画像撮影が行われた際の二次元放射線検出装置起動からの経過時間と最も近い経過時間の補正データを選択することにより、画質の向上が期待できる。
【００１４】
さらには、補正データの生成条件を、二次元放射線検出装置で補正データを生成する際の二次元放射線検出装置内部の環境温度とした場合は、放射線画像撮影が行われた際の二次元放射線検出装置内部の環境温度と最も近い環境温度の補正データを選択することにより、主に温度依存性の高い被補正量の正確な補正処理が可能となり、ここでも画質の向上が期待できる。
（請求項３の効果）この発明により、二次元放射線検出装置の一次放射線画像データのうち、最も変動の大きいオフセット補正量とゲイン補正量を、補正処理の対象とすることにより、特にオフセット補正については、被写体の透過放射線量の少ない領域において、僅かな補正誤差でも画質の劣化に大きく影響することから、本システムの出力画像の画質向上に大きく寄与するものである。
（請求項４の効果）この発明により、コントローラへの表示画像データに専用の補正データを設けることにより、表示画像データが一般には診断画像データよりもはるかに容量が少ないことから、主には、コントローラ上への画像表示速度を高め、操作者にとって使い勝手の良い放射線画像撮影システムを提供可能となる。
（請求項５の効果）この発明により、二次元放射線検出装置とコントローラ間のデータ転送が、無線通信のように比較的データ転送速度の遅い通信手段を用いる場合に、二次元放射線検出装置から、まず一次放射線画像データのうちコントローラ上への画像表示に必要な部分の情報（一般に、診断用画像データの約１０分の１サイズ程度の間引き画像データ）のみ補正処理を行わずにコントローラへ転送し、コントローラでは、受信した表示用の間引き画像データに対し、データベースから選択した適切な補正データによる補正処理を行い、比較的短時間でコンソール上への画像表示が可能となる。
【００１５】
この際操作者は、まず表示画像による被写体のポジショニングを確認し、その後各種画像処理の妥当性を確認し、この作業が終わると出力装置への診断画像の出力を指示した後、次の撮影の準備に入るため、二次元放射線検出装置側では、この間の時間を利用して、診断画像データへの補正処理を行い、コンソールへの診断画像データの転送を行うため、比較的データ転送速度の遅い通信手段を用いていても、次の撮影までには十分に診断画像の前記コンソールへの転送を完了可能で、撮影現場のワークフローにマッチした放射線画像撮影システムの提供が可能となる。
（請求項６の効果）この発明により、二次元放射線検出装置とコントローラ間のデータ転送が、有線通信のように比較的データ転送速度の速い通信手段を用いる場合は、二次元放射線検出装置側で、一次放射線画像データに対する補正処理を行い、コントローラの表示用画像データおよび診断用画像データを生成してから、これらをコントローラに転送することが可能となる。
【００１６】
また、二次元放射線検出装置側からは、診断用画像サイズに対応する一次放射線画像データのみを送り、コントローラ側でこれを受信した後に、コントローラ表示用画像サイズに対応する画像データに間引いた後、該当する補正データで補正処理を行い表示し、さらに、診断用画像サイズに対応する一次放射線画像データに対し、該当する補正データで補正処理を行うことも可能である。
【００１７】
このことは、コントローラ上での画像表示速度に代表される操作者の使い勝手が、常に安定した放射線画像撮影システムを提供することを可能とする。
（請求項７の効果）この発明により、コントローラ上への画像の表示の際に、表示用画像データに前記補正処理を加えないことから、コントローラの負荷を軽減し、操作者の使い勝手の良い放射線画像撮影システムを提供することが可能となる。
【００１８】
この際、通常コントローラの画像表示に使用するモニターが、濃度階調で８ｂｉｔ程度しかないことから、操作者によっては、表示画像が未補正であることを特に問題とせず、主に被写体のポジショニングの確認用として使用する場合があるためである。
（請求項８の効果）この発明により、コントローラと二次元放射線検出装置の少なくとも一方に十分が性能がある場合は、データベース機能のためにあえて別のハードウェアを用意する必要がなく、安価な放射線画像撮影システムを提供することが可能である。
（請求項９の効果）この発明により、それぞれの二次元放射線検出装置が、データベース機能から、二次元放射線検出装置の識別情報と、補正データの生成条件の少なくとも１つを用いて、自身に最適の補正データを選択可能となり、システム全体の画質性能の向上が期待できる。
【００１９】
この際、データベース機能をコントローラに内包するか、もしくばデータベース機能専用のハードウェア上に配置すれば、各二次元放射線検出装置の故障により、少なくとも故障した二次元放射線検出装置の補正データを失う危険は回避でき、動作信頼性の高い放射線画像撮影システムの提供が可能となる。
（請求項１０の効果）この発明により、データベース機能を特定のコントローラに内包するか、もしくばデータベース機能専用のハードウェア上に配置すれば、二次元放射線検出装置の故障ばかりでなく、コントローラの故障にも強い、動作信頼性の高い放射線画像撮影システムの提供が可能となる。
【００２０】
この際、相互に接続された全ての二次元放射線検出装置とコントローラが、唯一配置されたデータベースを参照することにより、システム全体の補正処理に同期がとれ、余分な通信手順を省略可能となる。
【発明を実施するための最良の形態】
【００２１】
以下、本発明の実施の形態について説明する。なお、本発明は以下に説明される実施の形態に限られるものではない。また、以下の説明で用語の意義を説明している記載があるが、あくまで実施の形態における用語の意義を説明するものであり、本発明の用語の意義はこの記載に限られない。
【００２２】
実施の形態
図１は、本発明の放射線画像撮影システムの一形態を示す図である。図１において、放射線発生器３０はデータベース機能１１を内包するコントロール部１０によって制御され、放射線発生器３０から放射された放射線は、被写体５を通して、撮像パネル４１−１を内包する二次元放射線検出装置４０−１に照射される。
【００２３】
図２は撮像パネル４１の構成を示しており、撮像パネル４１は所定の剛性を得られるだけの厚みを有する誘電基板４１１を有している。この誘電基板は例えばガラスを用いて構成される。誘電基板４１１上には金属の薄膜を用いた複数のマイクロプレート４１２−（１，１）〜４１２−（ｍ，ｎ）が２次元配置されている。マイクロプレート４１２間には走査線４１５−１〜４１５−ｍと信号線４１６−１〜４１６−ｎが例えば直交するように配設される。マイクロプレート４１２−（１，１）には、１つのトランジスタ４２０−（１，１）が接続されている。このトランジスタ４２０−（１，１）は、例えば電界効果トランジスタが用いられており、ドレイン電極あるいはソース電極がマイクロプレート４１２−（１，１）に接続されると共に、ゲート電極は走査線４１５−１と接続される。ドレイン電極がマイクロプレート４１２−（１，１）に接続されるときにはソース電極が信号線４１６−１と接続され、ソース電極がマイクロプレート４１２−（１，１）に接続されるときにはドレイン電極が信号線４１６−１と接続される。またマイクロプレート４１２−（１，１）は電荷蓄積コンデンサ４２２−１の一方の電極とされる。このようにして１つの画素が形成される。他のマイクロプレート４１２にも同様にトランジスタ４２０が接続されており、トランジスタ４２０のゲート電極には走査線４１５が接続されると共に、ソース電極あるいはドレイン電極には信号線４１６が接続される。
【００２４】
図３は、撮像パネル４１の一部断面図を示しており、誘電基板４１１上には走査線４１５と接続されるゲート電極４２０ｇが形成される。このゲート電極４２０ｇ上にゲート絶縁膜４２０ｐが形成されると共に、ゲート絶縁膜４２０ｐ上にはアモルファスシリコン等を用いた半導体層４２０ｃが形成される。この半導体層４２０ｃにソース電極４２０ｓとドレイン電極４２０ｄが形成されて電界効果トランジスタが構成される。このソース電極４２０ｓあるいはドレイン電極４２０ｄの一方が信号線４１６と接続されると共に他方の電極がマイクロプレート４１２に接続される。
【００２５】
また、誘電基板４１１上には外部側のマイクロプレートとしての電極４２２ａが形成されると共に、この電極上に二酸化シリコンあるいは窒化シリコン等の誘電体４２２ｂが形成される。さらに誘電体４２２ｂ上にマイクロプレート４１２が電極として形成されて、マイクロプレート４１２と電極４２２ａと誘電体４２２ｂで電荷蓄積コンデンサ４２２が形成される。電荷蓄積コンデンサ４２２の誘電体４２２ｂ上に形成されたマイクロプレート４１２は、トランジスタ４２０の電極と接続されると共に、誘電基板４１１上に形成された電極４２２ａは接地される。
【００２６】
トランジスタ４２０はパッシベーション層４２５で被覆されると共に、電荷蓄積コンデンサ４２２の電極上およびマイクロプレート４１２（図示せず）上には電荷阻止層４２６が形成される。
【００２７】
さらに、パッシベーション層４２５や電荷阻止層４２６、走査線４１５（図示せず）および信号線４１６（図示せず）上には、放射線が照射されることにより電子−正孔対が生成されて抵抗値が変化する光導電層４２７が形成される。この光導電層４２７としては暗抵抗値が高いものが望ましく、アモルファスセレン、酸化鉛、硫化カドミウム、ヨウ化第２水銀、または光導電性を示す有機材料（Ｘ線吸収コンパウンドが添加された光伝導性ポリマを含む）などが用いられ、特にアモルファスセレンが望ましい。光導電層４２７上には誘電層４２８が形成されることが好ましく、誘電層４２８上にはバイアス電極４２９が形成される。
【００２８】
ここで、バイアス電極４２９に高電圧（例えばプラス数ｋＶ）が印加された状態で放射線が光導電層４２７に入射されると、放射線の強度に応じた量の電子−正孔対が生成されると共に、バイアス電極４２９にプラスの高電圧が印加されていることから、生成された電荷は誘電層４２８側に移動されると共に、前記とは逆極性の電荷は電荷阻止層４２６側に移動される。また、誘電層４２８によってバイアス電極４２９から光導電層４２７への電荷の注入が阻止されると共に、電荷阻止層４２６によって電荷蓄積コンデンサ４２２の電極から光導電層４２７への電荷の注入が阻止される。このため、光導電層４２７を介して漏洩電流が流れることを阻止することができ、放射線の強度に応じた量の電荷を電荷蓄積コンデンサ４２２に蓄えることができる。
【００２９】
このようにして、図２に示す各マイクロプレート４１２−（１，１）〜４１２−（ｍ，ｎ）を一方の電極とする電荷蓄積コンデンサ４２２−（１，１）〜４２２−（ｍ，ｎ）に放射線像を示す電荷を蓄積することができると共に、電荷蓄積コンデンサ４２２−（１，１）〜４２２−（ｍ，ｎ）に蓄積された電荷量を判別して画像データを生成することができる。
また撮像パネル４１では、信号線４１６−１〜４１６−ｎに、例えばドレイン電極が接続されたリセット動作用のトランジスタ４３２−１〜４３２−ｎが設けられている。このトランジスタ４３２−１〜４３２−ｎのソース電極は接地されている。また、ゲート電極はリセット線４３１と接続される。
【００３０】
撮像パネル４１の走査線４１５−１〜４１５−ｍとリセット線４３１は、図２に示すように走査駆動回路４４と接続されている。走査駆動回路４４から走査線４１５−１〜４１５−ｍのうちの１つ走査線４１５−ｐ（ｐは１〜ｍのいずれかの値）に電荷読出信号ＲＳが供給されると、この走査線４１５−ｐに接続されたトランジスタ４２０−（ｐ，１）〜４２０−（ｐ，ｎ）がオン状態とされて、電荷蓄積コンデンサ４２２−（ｐ，１）〜４２２−（ｐ，ｎ）に蓄積された電荷が信号線４１６−１〜４１６−ｎにそれぞれ読み出される。信号線４１６−１〜４１６−ｎは、電荷検出器４３３−１〜４３３−ｎに接続されており、電荷検出器４３３−１〜４３３−ｎでは信号線４１６−１〜４１６−ｎ上に読み出された電荷量に比例する電圧信号ＳＶ−１〜ＳＶ−ｎが生成される。この電荷検出器４３３−１〜４３３−ｎから出力された電圧信号ＳＶ−１〜ＳＶ−ｎが信号選択回路４６に供給される。
【００３１】
信号選択回路４６には、電荷検出器４３３−１〜４３３−ｎから電圧信号が供給される。信号選択回路４６では、供給された電圧信号が順次選択されて、例えば、１２ビットないし１４ビットのディジタルのデータとされる。このデータは画像データＤＴとして読取制御回路４８に供給される。なお、バイアス電極４２９にプラスの高電圧を印加した状態で、走査駆動回路４４からリセット信号ＲＴをリセット線４３１に供給してトランジスタ４３２−１〜４３２−ｎをオン状態とすると共に、走査線４１５−１〜４１５−ｍに電荷読出信号ＲＳを供給してトランジスタ４２０−（１，１）〜４２０−（ｍ，ｎ）がオン状態とすると、電荷蓄積コンデンサ４２２−（１，１）〜４２２−（ｍ，ｎ）に蓄えられた電荷がトランジスタ４３２−１〜４３２−ｎを介して放出して、撮像パネル４１の初期化、すなわち残留電荷の除去を行うことができる。
【００３２】
ただし、残留電荷の除去処理から、撮像パネル４１への放射線の照射まで（厳密には撮影が完了し逐電された電荷の読み出しが完了するまで）の間にも、照射される放射線量に比例し増加する電荷とは別に、主に撮像パネル４１の周辺温度の影響による電荷の発生は続いており、この放射線量に比例しない電荷の発生量（オフセット値に相当）は各画素単位でのバラツキを生じ、主には、被写体を透過する放射線量が少なくなる領域でのノイズ成分が増加し、画質の劣化を招くことになる。
【００３３】
そこで本実施例での、上記で例を挙げたオフセット値の補正を含む画素単位でのバラツキを補正する手順を、図１を用いて、以下にさらに詳しく説明する。
【００３４】
まず、被写体５の放射線撮影に先立ち、被写体５を除いた状態で、放射線発生機３０で発生させた放射線を、規定の単位時間（被写体５の撮影の際に上記残留電荷の除去から、電荷の読み出しが完了するまでに要する時間に相当）二次元放射線検出装置に照射し、この際に発生する各画素の信号値から画素単位のゲイン補正データを求める。
さらに、上記規定の単位時間あたりに、放射線の照射をなしに発生した電荷による画素の信号値から、同じく画素単位のオフセット補正データを求める。求めたゲイン補正データとオフセット補正データをセットとして、二次元放射線検出装置４０−１もしくは撮像パネル４１−１の識別情報と、上記補正データを生成した際の撮像パネル４１−１の周囲温度と共に、データベース機能１１に登録する。この作業を、撮像パネル４１−１の複数の周囲温度に対して予め実施しておく。
【００３５】
実際の被写体５の放射線画像撮影の際には、撮像パネル４１−１から得られる一次放射線画像データに対し、撮影が行われた際の撮像パネル４１−１の周囲温度を検索キーとして、最も撮影時の状態に近い補正データを参照し、オフセット補正、ゲイン補正の各処理が行われることになる。
放射線画像撮影後のさらに詳しい処理の流れとしては、二次元放射線検出装置４０−１は放射線画像撮影の直後に、診断画像用よりも小さいサイズのコントローラ１０表示用の一次放射線画像データと共に、二次元放射線検出装置４０−１もしくは撮像パネル４１−１の識別情報と、補正データの生成条件（この場合は生成時の撮像パネル周辺温度）をコントローラ１０に送信し、コントローラ１０では、二次元放射線検出装置４０−１もしくは撮像パネル４１−１の識別情報と、補正データの生成条件とをアクセスキーとして、データベース機能１１から補正データを検索してコントローラ１０表示用の一次放射線画像データの補正処理および表示を行う。
【００３６】
また、二次元放射線検出装置４０−１は、コントローラ１０表示用の一次放射線画像データの送信の後、二次元放射線検出装置４０−１もしくは撮像パネル４１−１の識別情報と、補正データの生成条件とをアクセスキーとして、データベース機能１１から補正データを検索して診断用の一次放射線画像データの補正処理およびコントローラ１０への診断用画像データの送信を行うことになる。この際、データベース機能１１から選択される補正データは、当然ながら放射線画像撮影時の撮像パネル４１−１の周辺温度に最も近い状態で生成された、ゲイン補正データとオフセット補正データである。
【産業上の利用可能性】
【００３７】
デジタル化された画像データを出力する二次元放射線検出装置と、画像データを受信し表示するコントローラから構成される放射線画像撮影システムに適用できる。
【図面の簡単な説明】
【００３８】
【図１】放射線画像撮影システムの構成を示す図である。
【図２】撮像パネルの構成を示す図である。
【図３】撮像パネルの一部断面図である。
【符号の説明】
【００３９】
１０    コントローラ
１１    データベース機能
３０    放射線発生器
４０    二次元放射線検出装置
４１    撮像パネル
４４    走査駆動回路
４６    信号選択回路
４８    読取制御回路
【図１】
2005111193.tif 000003
【図２】
2005111193.tif 000004
【図３】
2005111193.tif 000005